(57)【要約】  【課題】  人体の筋力の低下や、関節部の変形等を予防するための運動器具を提供する。  【解決手段】  本発明は、脚、又は腕を拡開及び閉塞して脚又は腕の付け根部を刺激させるための運動器具１であって、該運動器具１は人体が横臥した状態で脚又は腕を夫々拡開及び閉塞する方向へ移動できるように形成された足又は手の載置台６を有し、且つ、該載置台６はモータ７等の駆動によって両脚又は両腕を相互に拡開又は閉塞する運動を強制できるように構成された運動器具を提供するものである。【選択図】図１
2005288019.tif 000002
【特許請求の範囲】
【請求項１】
脚、又は腕を拡開及び閉塞して脚又は腕の付け根部を刺激させるための運動器具であって、該運動器具は人体が横臥した状態で脚又は腕を夫々拡開及び閉塞する方向へ移動できるように形成された足又は手の載置台を有し、且つ、該載置台はモータ等の駆動によって両脚又は両腕を相互に拡開又は閉塞する運動を強制できるように構成されたことを特徴とする運動器具。
【請求項２】
上記足又は手の載置台は平面視長方形に形成されたケーシングの上面長手方向に開穿されたスリットに沿って往復移動自在に構成されてなることを特徴とする請求項１記載の運動器具。
【請求項３】
上記足又は手の載置台は、上記ケーシング内の長手方向に延設された螺旋軸の正逆回転により、該螺旋軸に沿って往復動する移動体に取り付けられていることを特徴とする請求項１又は２記載の運動器具。
【請求項４】
上記足又は手の載置台は、該載置台の往復移動方向端部に設けられているリミットスイッチによって往復移動が反覆されるように構成されたことを特徴とする請求項１，２又は３記載の運動器具。
【発明の詳細な説明】
【技術分野】
【０００１】
本発明は運動器具に関するものであり、特に、長期療養者や寝たきり病人等のリハビリに役立つ運動器具に関するものである。
【背景技術】
【０００２】
一般に、長期療養者や寝たきり病人等は筋力の低下、関節の変形、床ずれ等を起こし易い。そこで、之等を予防するための適格な運動器具の出現が要望されている。
【０００３】
従来は、非特許文献１に記載されているように、長期療養者や寝たきり病人等の身体を動かしてリハビリを行うために、看護人が麻痺した部分等をマッサージしたり、或いは関節を動かす手助けを行っている。
【非特許文献１】昭和５３年１月５日（株）保健同人社発行「症状からみた家庭の医学百科（第２版）」（第８８９〜８９１頁「床ずれ」及び「長期療養者」の項参照）
【発明の開示】
【発明が解決しようとする課題】
【０００４】
上記非特許文献１記載の従来の手法では、看護人を介して他律的に患部をマッサージしたり、或いは関節部の運動を行っているので、看護人が疲労し、且つ、脚や腕全体に亘る血液循環や筋力増強が期待できず、関節部の変形等の予防も十分に達成することは困難である。
【０００５】
そこで、特に長期療養者や寝たきり病人等の筋力低下や、関節部の変形或いは床ずれ等を予防することができる運動器具を得るために解決せられるべき技術的課題が生じてくるのであり、本発明は該課題を解決することを目的とする。
【課題を解決するための手段】
【０００６】
本発明は上記目的を達成するために提案されたものであり、請求項１記載の発明は脚、又は腕を拡開及び閉塞して脚又は腕の付け根部を刺激させるための運動器具であって、該運動器具は人体が横臥した状態で脚又は腕を夫々拡開及び閉塞する方向へ移動できるように形成された足又は手の載置台を有し、且つ、該載置台はモータ等の駆動によって両脚又は両腕を相互に拡開又は閉塞する運動を強制できるように構成された運動器具を提供するものである。
【０００７】
この構成によれば、前記運動器具を人体が横臥した状態で脚又は腕を夫々拡開及び閉塞できる位置へ設置する。そして、足又は手を載置台に載せ、任意の固定手段を用いて足又は手を該載置台上に軽く固定する。又、必ずしも前記固定手段による固定を必要とするものではない。斯くして、モータを駆動すれば、該モータ駆動に基づいて前記足又は手の載置台が脚又は腕の拡開及び閉塞方向へ往復運動を反覆することになり、この動作に伴って脚又は腕が自動的に拡開及び閉塞運動を行う。従って、両脚又は両腕も相互に拡開及び閉塞運動を実行することができる。
【０００８】
請求項２記載の発明は上記足又は手の載置台は平面視長方形に形成されたケーシングの上面長手方向に開穿されたスリットに沿って往復移動自在に構成されてなる請求項１記載の運動器具を提供する。
【０００９】
この構成によれば、足又は手の載置台は平面視長方形状に形成されたケーシングの上面長手方向に開穿されスリットに沿って往復動する。依って、身体を横臥した状態で脚又は腕の拡開及び閉塞運動が自動的に反覆される。
【００１０】
請求項３記載の発明は上記足又は手の載置台は、上記ケーシング内の長手方向に延設された螺旋軸の正逆回転により、該螺旋軸に沿って往復動する移動体に取り付けられている請求項１又は２記載の運動器具を提供する。
【００１１】
この構成によれば、足又は手の載置台はケーシング内の長手方向に延設された螺旋軸の正逆回転により該螺旋軸に沿って往復動する移動体に取付けられているので、該足又は手の載置台が該螺旋軸の正逆回転に伴って前記ケーシング上で往復運動を反覆する。
【００１２】
請求項４記載の発明は上記足又は手の載置台は、該載置台の往復移動方向端部に設けられているリミットスイッチによって往復移動が反覆されるように構成された請求項１，２又は３記載の運動器具を提供する。
【００１３】
この構成によれば、足又は手の載置台の往復動は、リミットスイッチによって切換えられる螺旋軸の正逆回転によって実行される。
【発明の効果】
【００１４】
請求項１記載の発明は、人体が横臥した状態で脚又は腕を自動的に拡開及び閉塞する運動を連続して実行できる。又、脚を閉塞する場合、運動器具の身体中心方向の一側を股部方向へ接近して設置しておけば、脚の拡開から閉塞動作に移行するとき、膝が自然に屈曲し乍ら脚の閉塞運動が行われ、更に、脚の拡開動作に移行する際には前記屈曲した膝が延伸し乍ら脚の拡開動作が行われることになる。
【００１５】
斯くの如く、脚又は腕の拡開及び閉塞動作を寝た状態で自動的に実行できるので、何人もこの運動器具を用いることにより脚又は腕の付け根部を刺激させて血液の循環を良好にし、その結果、筋力を増強させ、関節の変形等を可及的に阻止し、或いは肩凝りやしびれ等も自然に治癒され、全身に及ぶ健康促進に寄与することが可能となる。
【００１６】
請求項２記載の発明は、足又は手の載置台がケーシングの上面長手方向に開穿したスリットに沿って往復移動するので、請求項１記載の発明の効果に加え該足又は手を載せた載置台がケーシング上面長手方向に円滑に往復運動を反覆することができる。
【００１７】
請求項３記載の発明は、足又は手の載置台に連結されている移動体がケーシング内の長手方向に延設された螺旋軸の正逆回転により該螺旋軸上を往復動するので、請求項１又は２記載の発明の効果に加え、該足又は手の載置台の往復運動が更に円滑に反覆されることができる。
【００１８】
請求項４記載の発明は、ケーシング内の長手方向に延設された螺旋軸がリミットスイッチによって正逆回転をするので、請求項１，２又は３記載の効果に加え、該螺旋軸の正逆回転に伴って足又は手を載せている載置台がケーシング上面長手方向に沿って極めて順調に往復動することになる。
【発明を実施するための最良の形態】
【００１９】
本発明は歩行可能な長期療養者や寝たきり病人のみならず、一般人の脚又は腕の拡開及び閉塞運動を自動的に反復できるようにするために、人体が横臥した状態で脚又は腕の拡開及び閉塞方向へ運動器具を設置し、そして、この運動器具に設けられている足又は手の載置台をモータ駆動によって該運動器具上面を往復動させ、両脚又は両腕を相互に拡開又は閉塞する運動を自動的に強制できるように構成することにより実現した。
【実施例】
【００２０】
以下、本発明の実施例を図１乃至図４に従って詳述する。図に於いて、１は本発明の運動器具を示す。該運動器具１は平面視長方形状のケーシング２と、該ケーシング２内の長手方向に延設された螺旋軸３と、該螺旋軸３に噛合している移動体４と、該移動体に連結され、且つ、前記ケーシング２の上面長手方向へ開穿されているスリット５に沿って該ケーシング２上面を往復動する足又は手の載置台とから成る。
【００２１】
而して、前記ケーシング２は箱形に形成されており、且つ、図１及び図２に示す如く、両脚又は両腕を拡開及び閉塞させるため２個の運動器具１，１が接近方向で所定角度θを有して足の移動方向へ設置されるものとする。尚、この所定角度θを狭くすることにより、両脚を閉塞する際に同時に膝を屈曲させ乍ら閉塞することができる。従って、膝が屈曲し、そして、両脚が閉塞した状態から拡開する場合は該膝は屈曲状態から順次延伸された状態で両脚が拡開されることになる。
【００２２】
又、該ケーシング２内にはその長手方向に螺旋軸３が延設されているのであるが、該螺旋軸３は図３に示すように、該ケーシング２の幅方向一側に設けられている減速機付のモータ７の回転軸（図示せず）に連結されており、該モータ７の正逆転に伴って該螺旋軸３も正逆転することになる。
【００２３】
更に又、該螺旋軸３には移動体４が噛合されており、該移動体４は該螺旋軸３の正逆転動作によって該螺旋軸３上を往復移動することになる。
【００２４】
而して、前記ケーシング２の上面にはその長手方向にスリット５が開穿されているので、前記螺旋軸３に噛合して往復動作を為す前記移動体４には足又は手の載置台６が連結部８によって連結され、且つ、この連結部８はケーシング２に設けられている前記スリット５に遊挿され、そして、該スリット５に沿って前記移動体４に追随して往復移動を為す。従って、該連結部８によって連結されている足又は手の載置台６も該移動体４と一体にケーシング２上を往復動することになる。而して、前記足又は手の載置台６は、足又は足首、又は手又は手首を指すものとする。
【００２５】
又、図３に示す如く、該移動体４の左右両側には押圧片９，９が設けられており、更に、該押圧片９，９によって押圧されることによって前記モータ７の正逆転を切換えるリミットスイッチ１０，１０が前記ケーシング２の長手方向両側部に設けられており、前記足又は手の載置台６が該リミットスイッチ１０の位置に到達し、そして、前記押圧片９が該リミットスイッチ１０に当接したとき、該リミットスイッチ１０によって前記モータ７が逆転するように構成されている。従って、本発明の運動器具１は図１及び図２に示すように、両脚又は両腕を拡開及び閉塞させるとき、二個のケーシング２，２を左右所定角度θを有して設置される関係上、該ケーシング２，２の左右双方に設けられている前記リミットスイッチ１０，１０及び１０，１０によって左右の足又は手の載置台６，６が相互に接近及び離反する方向へ反覆して移動することになり、依って、左右に配設されている足又は手の載置台６，６上に載せられた足又は手が左右に移動するので、両脚又は両腕は同時に相互に拡開及び閉塞運動が反覆され、且つ、この運動はモータ７の駆動により自動的に行われるから、横臥した状態で而も熟睡状態に於いても自然に前記両脚又は両腕の運動が実行されることになり、長期療養者又は寝たきり病人に限らず一般人の肉体的筋力の低下や、関節の変形或いは病人の床ずれ等を予防することができる。又、前記リミットスイッチ１０の位置は使用者が任意に調整できるようにするを可とする。
【００２６】
又、図４（ａ）に示すように前記移動体４の移動を円滑に行わせるため、該移動体４にはケーシング２の内側面にローラ１１，１１…を介在させることもできる。
【００２７】
尚、本発明は、本発明の精神を逸脱しない限り種々の改変を為すことができ、そして、本発明が該改変されたものに及ぶことは当然である。
【図面の簡単な説明】
【００２８】
【図１】本発明の一実施の形態を示し、両脚の拡開及び閉塞運動を解説した平面図。
【図２】本発明の一実施の形態を示し、両腕の拡開及び閉塞運動を解説した平面図。
【図３】本発明の運動器具の平面図。
【図４】（ａ）図３のＡ−Ａ線断面図。
【００２９】
（ｂ）図３の一部切欠正面図。
【符号の説明】
【００３０】
１        運動器具
２        ケーシング
３        螺旋軸
４        移動体
５        スリット
６        足又は手の載置台
７        モータ
８        連結部
９        押圧片
１０        リミットスイッチ
【図１】
2005288019.tif 000003
【図２】
2005288019.tif 000004
【図３】
2005288019.tif 000005
【図４】
2005288019.tif 000006